(57)【要約】【課題】平行に隣り合う野縁の間で間仕切りパネルを野縁の長手方向に向けて立設した場合でも間仕切りパネルの上端を固定できる間仕切りパネルの固定構造を提供する。【解決手段】金属の角パイプからなる野縁１を天井に複数本平行に架設し、この天井の下の室内に立設した間仕切りパネル３の上端を野縁１に固定する間仕切りパネルの固定構造である。これにおいて、隣り合う一対の野縁１間に野縁１と直交するように金属の角パイプからなる副野縁４を配置すると共に副野縁４の両端に装着した引っ掛け金具５の下方が開口せる略コ字状の嵌合部６を野縁１に上から被嵌して固定する。間仕切りパネル３の上端を副野縁４に固定する。【選択図】        図１
2004150035.tif 000002
【特許請求の範囲】
【請求項１】
金属の角パイプからなる野縁を天井に複数本平行に架設し、この天井の下の室内に立設した間仕切りパネルの上端を野縁に固定する間仕切りパネルの固定構造において、隣り合う一対の野縁間に野縁と直交するように金属の角パイプからなる副野縁を配置すると共に副野縁の両端に装着した引っ掛け金具の下方が開口せる略コ字状の嵌合部を野縁に上から被嵌して固定し、間仕切りパネルの上端を副野縁に固定したことを特徴とする間仕切りパネルの固定構造。
【請求項２】
野縁の両側の外面に長手方向に亙って設けた凹条に嵌合部の両側の縦片の内面に設けた係止爪を係止したことを特徴とする請求項１記載の間仕切りパネルの固定構造。
【請求項３】
嵌合部の一方の縦片の外面から野縁にビスのような固着具を打入したことを特徴とする請求項２記載の間仕切りパネルの固定構造。
【請求項４】
引っ掛け金具の嵌合部の幅を野縁の幅の略半分の幅とし、副野縁の長手方向の一端に装着する引っ掛け金具の嵌合部を副野縁の両側面のうち一方の側面側に偏らせると共に副野縁の長手方向の他端に装着する引っ掛け金具の嵌合部を副野縁の両側面のうち他方の側面側に偏らせたことを特徴とする請求項１乃至請求項３のいずれかに記載の間仕切りパネルの固定構造。
【発明の詳細な説明】
【０００１】
【発明の属する技術分野】
本発明は、金属の角パイプからなる野縁を天井に平行に配置した建物で、室内を間仕切りするための立設した間仕切りパネルを野縁に固定して間仕切りパネルの上端を支持する構造に関するものである。
【０００２】
【従来の技術】
近年、建物の天井の下地を構成する野縁として鋼板のような金属板を角パイプ状に折り曲げて形成した軽量で且つ比較的強度のある部材を用いることが行われることが多々ある。この金属の角パイプ状の野縁１は図８に示すように所定の間隔を隔てて平行に複数本架設され、野縁１の下に貼った天井材２が野縁１に固定して支持され、また室内を間仕切りするために立設した間仕切りパネル３の上端が野縁１に固着されて支持される（例えば、特許文献１参照）。
【０００３】
【特許文献１】
特開２００１−９８６７８号公報
【０００４】
【発明が解決しようとする課題】
上記の従来例では野縁１の真下の位置で野縁１の長手方向と平行に間仕切りパネル３を向けて立設する場合や、野縁１の長手方向と直交する方向に間仕切りパネル３を向けて立設する場合には間仕切りパネル３の上端を野縁１に対応させて野縁１に間仕切りパネル３を固定することができるが、平行に隣り合う野縁１の間で間仕切りパネル３を野縁１の長手方向に向けて立設した場合、間仕切りパネル３の上端が野縁１に対応せず、野縁１に間仕切りパネル３の上端を固定することができないという問題がある。
【０００５】
本発明は上記の点に鑑みてなされたものであり、平行に隣り合う野縁の間で間仕切りパネルを野縁の長手方向に向けて立設した場合でも間仕切りパネルの上端を固定できる間仕切りパネルの固定構造を提供することを課題とするものである。
【０００６】
【課題を解決するための手段】
上記課題を解決するための本発明の間仕切りパネルの固定構造は、金属の角パイプからなる野縁１を天井に複数本平行に架設し、この天井の下の室内に立設した間仕切りパネル３の上端を野縁１に固定する間仕切りパネルの固定構造において、隣り合う一対の野縁１間に野縁１と直交するように金属の角パイプからなる副野縁４を配置すると共に副野縁４の両端に装着した引っ掛け金具５の下方が開口せる略コ字状の嵌合部６を野縁１に上から被嵌して固定し、間仕切りパネル３の上端を副野縁４に固定したことを特徴とする。上記のように野縁１間に野縁１と直交するように副野縁４を取り付けることで、隣り合う野縁１間に野縁１の長手方向と平行になるように間仕切りパネル３を立設した場合も間仕切りパネル３の上端を副野縁４を利用して固定できる。また野縁１間に副野縁４を取り付けるとき、副野縁４の両端の引っ掛け金具５の嵌合部６を野縁１に引っ掛けることで野縁１間に容易に架設して取り付けることができる。また引っ掛け金具５の嵌合部６を野縁１に上から被嵌するために野縁１の下面側や副野縁４の下面側に金具等が突出して段差ができたりしなく、野縁１の下面と副野縁４の下面とを面一に揃った平坦面にでき、間仕切りパネル３や天井材を取り付ける弊害とならない。
【０００７】
また野縁１の両側の外面に長手方向に亙って設けた凹条７に嵌合部６の両側の縦片６ａ，６ｂの内面に設けた係止爪８を係止したことを特徴とすることも好ましい。引っ掛け金具５の嵌合部６を野縁１に被嵌したとき、野縁１の凹条７に嵌合部６の係止爪８が係止して止められて野縁１に対して副野縁８が上下に動かないように固定され、しかも野縁１に対して副野縁４を上下方向に位置決めして取り付けることができ、野縁１の下面と副野縁４の下面とを容易に面一に揃えることができる。
【０００８】
また嵌合部６の一方の縦片６ａの外面から野縁１にビスのような固着具９を打入したことを特徴とすることも好ましい。この場合、凹条６と係止爪８の係止で副野縁４が上下方向に動かないように固定したもので、固着具９を打入することで野縁１の長手方向にも動かないように固定することができる。
【０００９】
また引っ掛け金具５の嵌合部６の幅を野縁１の幅の略半分の幅とし、副野縁４の長手方向の一端に装着する引っ掛け金具５の嵌合部６を副野縁４の両側面のうち一方の側面側に偏らせると共に副野縁４の長手方向の他端に装着する引っ掛け金具５の嵌合部６を副野縁４の両側面のうち他方の側面側に偏らせたことを特徴とすることも好ましい。野縁１の長手方向と直交する方向に架設する副野縁４を野縁１の長手方向と直交する方向に一直線に並べて取り付けるときでも隣り合う副野縁４の引っ掛け金具５の嵌合部６を同じ野縁１にずれた位置で被嵌して取り付けることができ、野縁１の長手方向と直交する方向に複数の副野縁４を一直線に並べて取り付けことができる。
【００１０】
【発明の実施の形態】
野縁１は図５に示すように鋼板のような金属板を角パイプ状に曲げて形成されるものであって、軽量で且つ比較的強度のあるものである。野縁１の上面、両側面及び下面には夫々２条の凹条７を長手方向に亙って設けてあり、凹条７を設けることで野縁１を補強してある。また金属板を曲げで角パイプ状に成形したとき接合するかしめ接合部は野縁１の上面側に位置させてある。この野縁１は図２や図３に示すように野縁１の長手方向が平行になり且つ等間隔になるように平行に架設され、野縁１の長手方向の端部がチャンネル状の野縁受け１０に嵌合して結合されている。野縁１の下面側には天井材（図示せず）が貼られ、野縁１で天井材が支持されるようになっている。
【００１１】
このように野縁１の設置したもので間仕切りパネル３を野縁１の長手方向と直交する方向に向けて（図２の符号ａに示すエリア）設ける場合は間仕切りパネル３の上端を野縁１に対応させて間仕切りパネル３の上端を野縁１に固定することができるが、隣り合う野縁１間で野縁１の長手方向と平行になるように向けて（図２の符号ｂに示すエリア）設ける場合は間仕切りパネル３の上端を野縁１に対応させることができず、間仕切りパネル３の上端を野縁１に固定することができない。
【００１２】
そこで本発明では次のような構造を採用して隣り合う野縁１間で野縁１の長手方向と平行に間仕切りパネル３を立設した場合も間仕切りパネル３を固定することができるようになっている。本発明では間仕切りパネル３を立設する位置で隣り合う野縁１間に副野縁４を野縁１の長手方向と直交する方向に架設して取り付けるようになっている。副野縁４も鋼板のような金属板を角パイプ状に曲げて形成されるものであり、野縁１と同じ断面形状になっている。この副野縁４は隣り合う野縁１の間隔同じ長さになっている。
【００１３】
この副野縁４を取り付けるための引っ掛け金具５は図４に示すように差し込み部１１と嵌合部６とを一体に設けて形成されている。差し込み部１１は所定の間隔を隔てて平行に突設した一対の突片１１ａにて形成されている。嵌合部６は一対の縦片６ａ，６ｂと上部の横片６ｃとで下方を開口せるコ字状に形成されている。この嵌合部６の横片６ｃ、縦片６ａ、縦片６ｂの上部は差し込み部１１の略半分の幅にしてあり、この略半分の幅にした部分を差し込み部１１の幅の中心に対して幅方向の一方に偏らせて設けてある。縦片６ａの内面の下部、縦片６ｂの内面の上下には係止爪８を突設してある。縦片６ａには幅方向の外方に突出するように固定片１２を延出してあり、この固定片１２に取り付け孔１３を穿孔してある。
【００１４】
この副野縁４の長手方向の両端には夫々引っ掛け金具５が配置され、引っ掛け金具５の差し込み部１１を副野縁４の端部から副野縁４に差し込むことで副野縁４の長手方向の両端に引っ掛け金具５が取り付けられている。このように副野縁４の長手方向の両端に引っ掛け金具５を取り付けることで副野縁４の長手方向の両端から嵌合部６が突出するように取り付けられる。またこのように副野縁４の長手方向の両端に引っ掛け金具５を取り付けることで長手方向の一端側で嵌合部６が幅方向に偏る側と他端側で嵌合部６が幅方向に偏る側が反対側となる。
【００１５】
間仕切りパネル３を設置する箇所に対応する部分では図３に示すように隣り合う野縁１間に野縁１の長手方向と直交するように副野縁４が配置され、引っ掛け金具５の嵌合部６が野縁１に被嵌されて副野縁４が野縁１に取り付けられる。嵌合部６を野縁１に被嵌したとき、図５に示すように嵌合部６の縦片６ａ，６ｂの内面の係止爪８が野縁１の両側の凹条７に係止され、嵌合部６が野縁１に上下方向に動かないように取り付けられる。このように野縁１に対して嵌合部６が上下方向に位置決めして取り付けられると、野縁１の下面と副野縁４の下面とが面一になるように位置決めして取り付けられる。このように副野縁４を取り付けた後に固定片１２の取り付け孔１３から野縁１にセルフタッピングビスのような固着具９が打入されて嵌合部６が野縁１に野縁１の長手方向に動かないように取り付けられる。
【００１６】
間仕切りパネル３は例えば図１に示すように枠体１５の両面に面板１６を貼って形成されている。隣り合う野縁１の間で室内の間仕切りをする間仕切りパネル３を立設した場合、間仕切りパネル３の枠体１５の上枠１５ａが副野縁４の下面に対応させられ、ビスのような固着具１７を図１に示すように間仕切りパネル３から副野縁４に打入されて間仕切りパネル３の上端が副野縁４に固定される。
【００１７】
野縁１の長手方向と直交するように間仕切りパネル３を立設した場合は、図６に示すように間仕切りパネル３の枠体１５の上枠１５ａが野縁１の下面に対応させられ、ビスのような固着具１７が間仕切りパネル３から野縁１に打入されて間仕切りパネル３の上端が野縁１に固定される。
【００１８】
また隣り合う野縁１間に副野縁４を架設して取り付けるとき野縁１と直交する方向に一直線上に複数の副野縁４を並べて取り付けることがあるが、このとき野縁１の長手方向と直交する方向に隣接する副野縁４の引っ掛け金具５の嵌合部６は引っ掛け金具５の幅の略半分の幅で幅方向の側方に偏っているために図７に示すように嵌合部６が互いに干渉しないように同じ野縁１に被嵌して取り付けることができる。このとき、固定片１２も逆方向に突出しているために夫々別々に固着具９を打入して固着することができる。
【００１９】
【発明の効果】
本発明の請求項１の発明は、叙述の如く隣り合う一対の野縁間に野縁と直交するように金属の角パイプからなる副野縁を配置すると共に副野縁の両端に装着した引っ掛け金具の下方が開口せる略コ字状の嵌合部を野縁に上から被嵌して固定し、間仕切りパネルの上端を副野縁に固定したので、隣り合う野縁間に野縁の長手方向と平行になるように間仕切りパネルを立設した場合も間仕切りパネルの上端を副野縁を利用して固定できるものであり、また野縁間に副野縁を取り付けるとき、副野縁の両端の引っ掛け金具の嵌合部を野縁に引っ掛けることで野縁間に容易に架設して取り付けることができるものであり、また引っ掛け金具の嵌合部を野縁に上から被嵌するために野縁の下面側や副野縁の下面側に金具等が突出して段差ができたりしなく、野縁の下面と副野縁の下面とを面一に揃った平坦面にでき、間仕切りパネルや天井材を取り付ける弊害とならないものである。
【００２０】
また本発明の請求項２の発明は、請求項１において、野縁の両側の外面に長手方向に亙って設けた凹条に嵌合部の両側の縦片の内面に設けた係止爪を係止したので、引っ掛け金具の嵌合部を野縁に被嵌したとき、野縁の凹条に嵌合部の係止爪が係止して止められて野縁に対して副野縁が上下に動かない固定されるものであり、しかも野縁に対して副野縁を上下方向に位置決めして取り付けることができ、野縁の下面と副野縁の下面とを容易に面一に揃えることができるものである。
【００２１】
また本発明の請求項３の発明は、請求項１において、嵌合部の一方の縦片の外面から野縁にビスのような固着具を打入したので、凹条と係止爪の係止で副野縁が上下方向に動かないように固定したもので、固着具を打入することで野縁の長手方向にも動かないように固定することができるものである。
【００２２】
また本発明の請求項４の発明は、請求項１乃至請求項３のいずれかにおいて、引っ掛け金具の嵌合部の幅を野縁の幅の略半分の幅とし、副野縁の長手方向の一端に装着する引っ掛け金具の嵌合部を副野縁の両側面のうち一方の側面側に偏らせると共に副野縁の長手方向の他端に装着する引っ掛け金具の嵌合部を副野縁の両側面のうち他方の側面側に偏らせたので、野縁の長手方向と直交する方向に架設する副野縁を野縁の長手方向と直交する方向に一直線に並べて取り付けるときでも隣り合う副野縁の引っ掛け金具の嵌合部を同じ野縁にずれた位置で被嵌して取り付けることができ、野縁の長手方向と直交する方向に複数の副野縁を一直線に並べて取り付けることができるものである。
【図面の簡単な説明】
【図１】本発明の実施の形態の一例の間仕切りパネルを固定した状態を示し、（ａ）要部の一部切欠断面図、（ｂ）は一部切欠斜視図である。
【図２】同上の野縁を架設した状態の斜視図である。
【図３】同上の野縁に副野縁を取り付ける状態を説明する斜視図である。
【図４】同上の副野縁と引っ掛け金具の分解斜視図である。
【図５】同上の副野縁の端部を野縁に引っ掛けて取り付けた部分の拡大断面図である。
【図６】同上の間仕切りパネルを野縁の長手方向と直交する方向に立設したときの固定を説明する斜視図である。
【図７】（ａ）は同上の複数の副野縁を野縁の長手方向と直交する方向に一直線上に並べて取り付ける状態を説明する斜視図、（ｂ）は（ａ）のＸ部拡大斜視図、（ｃ）は（ａ）のＹ部拡大斜視図である。
【図８】従来例を説明する断面図である。
【符号の説明】
１  野縁
３  間仕切りパネル
４  副野縁
５  引っ掛け金具
６  嵌合部
６ａ  縦片
７  凹条
８  係止爪
９  固着具
【図１】
2004150035.tif 000003
【図２】
2004150035.tif 000004
【図３】
2004150035.tif 000005
【図４】
2004150035.tif 000006
【図５】
2004150035.tif 000007
【図６】
2004150035.tif 000008
【図７】
2004150035.tif 000009
【図８】
2004150035.tif 000010